(57)【要約】  画像形成装置（１）は、装置本体（２）の一方から他方に向けて進入させた取付対象物（２３）を支持するフレーム（６１）と、フレーム（６１）に支持された取付対象物（２３）を固定する取付装置（６２）と、を備え、フレーム（６１）は、取付対象物（２３）の進入方向先端部に対向して設けられる先端プレート（６１ｂ）を有し、取付装置（６２）は、進入方向に沿って進退可能な状態で先端プレート（６１ｂ）に支持されると共に取付対象物（２３）に連結可能に形成される固定ピン（６５）と、固定ピン（６５）を進入方向に向けて付勢する付勢部材（６６）と、固定ピン（６５）の脱落を規制する抜止め部材（６７）と、を含んで構成され、取付装置（６２）は、固定ピン（６５）を連結させて付勢部材（６６）の付勢力を作用させた取付対象物（２３）を先端プレート（６１ｂ）側に引き寄せた位置に保持する。
2016068115.tif 000002
【特許請求の範囲】
【請求項１】
画像形成装置であって、
画像形成部を構成する取付対象物と、
装置本体の一方から他方に向けて進入させた前記取付対象物を支持するフレームと、
前記フレームに支持された前記取付対象物を固定する取付装置と、を備え、
前記フレームは、前記取付対象物の進入方向先端部に対向して設けられる先端プレートを有し、
前記取付装置は、
前記取付対象物の進入方向に沿って進退可能な状態で前記先端プレートに支持されると共に前記取付対象物の進入方向先端部に連結可能に形成される固定ピンと、
前記固定ピンを前記取付対象物の進入方向に向けて付勢する付勢部材と、
前記付勢部材に付勢された前記固定ピンの脱落を規制する抜止め部材と、を含んで構成され、
前記取付装置は、前記固定ピンを連結させて前記付勢部材の付勢力を作用させた前記取付対象物を前記先端プレート側に引き寄せた位置に保持する。
【請求項２】
請求項１に記載の画像形成装置であって、
前記取付対象物は、進入方向先端部に設けられる雌ネジ穴を有し、
前記固定ピンは、前記雌ネジ穴に螺合するネジ部を有している。
【請求項３】
請求項１に記載の画像形成装置であって、
前記取付対象物は、進入方向先端部に設けられる第１の被位置決め部と、進入方向後端部に設けられる第２の被位置決め部と、を有し、
前記フレームは、前記取付対象物の進入方向後端部に対向して設けられる後端プレートを更に有し、
前記先端プレートは、前記取付対象物の前記第１の被位置決め部に係合する第１の位置決め部を有し、
前記後端プレートは、前記取付対象物の前記第２の被位置決め部に係合する第２の位置決め部を有している。
【請求項４】
請求項３に記載の画像形成装置であって、
前記先端プレートの前記第１の位置決め部は、水平方向に並設される３つの第１の位置決め穴であり、
水平方向中央の前記第１の位置決め穴は、鉛直方向に長く形成され、水平方向両端部の前記第１の位置決め穴は、水平方向に長く形成されており、
前記後端プレートの前記第２の位置決め部は、水平方向中央に設けられる第２の位置決め穴であり、
前記第２の位置決め穴は、水平方向中央の前記第１の位置決め穴と同軸上に配設されており、
前記取付対象物の前記第１の被位置決め部は、前記各第１の位置決め穴に挿入されるように水平方向に並設される３つの第１の位置決めボスであり、
前記取付対象物の前記第２の被位置決め部は、前記第２の位置決め穴に嵌合するように設けられる第２の位置決めボスである。
【請求項５】
請求項３に記載の画像形成装置であって、
前記先端プレートの前記第１の位置決め部は、水平方向に並設される３つの第１の位置決め穴であり、
水平方向中央の前記第１の位置決め穴は、鉛直方向に長く形成され、水平方向両端部の前記第１の位置決め穴は、水平方向に長く形成されており、
前記後端プレートの前記第２の位置決め部は、水平方向に並設される３つの第２の位置決め穴であり、
水平方向中央の前記第２の位置決め穴は、水平方向中央の前記第１の位置決め穴と同軸上に配設されており、
水平方向両端部の前記第２の位置決め穴は、それぞれ、水平方向両端部の前記第１の位置決め穴と同軸上に配設されており、
水平方向両端部の前記第２の位置決め穴は、水平方向中央の前記第２の位置決め穴よりも大径に形成され、
前記取付対象物の前記第１の被位置決め部は、前記各第１の位置決め穴に挿入されるように水平方向に並設される３つの第１の位置決めボスであり、
前記取付対象物の前記第２の被位置決め部は、前記各第２の位置決め穴に挿入されるように水平方向に並設される３つの第２の位置決めボスである。
【発明の詳細な説明】
【技術分野】
【０００１】
本発明は、複写機やプリンター等に好適に用いられる画像形成装置に関する。
【背景技術】
【０００２】
電子写真方式の画像形成装置は、走査光を出射する光走査装置を搭載している。光走査装置は、走査光を感光体の表面に照射して画像データに対応した静電潜像を形成する。【０００３】
例えば、画像形成装置は、光走査装置の基台と、基台に圧入されると共に装置本体の穴に挿入された２つの位置決めピンと、各位置決めピンを径方向から押圧する押圧部材と、を備えている（特許文献１参照）。押圧部材をビス止めすると、各位置決めピンは押圧された状態で固定される。つまり、基台は各位置決めピンを介して装置本体に位置決めされる。そして、光走査装置は、位置決めされた基台に複数のビスで締結される。
【先行技術文献】
【特許文献】
【０００４】
【特許文献１】特開平０６−２８９３０７号公報
【発明の概要】
【発明が解決しようとする課題】
【０００５】
しかしながら、上記技術は、取付対象物としての光走査装置を通常のビスで締結しているため、画像形成装置の装置本体内において光走査装置の着脱作業を行うことが困難であった。具体的には、装置本体の内部は非常に狭い空間であるため、ネジ穴にビスを位置合せして螺合させる作業は容易ではなかった。すなわち、上記技術は、光走査装置のメンテナンス等を実施し難いという問題を有していた。また、取り外したビスを紛失することも多かった。【０００６】
本発明は上記した課題を解決すべく、取付対象物の着脱を容易化すると共に取付対象物の締結部材の紛失を防止する画像形成装置を提供する。
【課題を解決するための手段】
【０００７】
本発明の画像形成装置は、画像形成部を構成する取付対象物と、装置本体の一方から他方に向けて進入させた前記取付対象物を支持するフレームと、前記フレームに支持された前記取付対象物を固定する取付装置と、を備え、前記フレームは、前記取付対象物の進入方向先端部に対向して設けられる先端プレートを有し、前記取付装置は、前記取付対象物の進入方向に沿って進退可能な状態で前記先端プレートに支持されると共に前記取付対象物の進入方向先端部に連結可能に形成される固定ピンと、前記固定ピンを前記取付対象物の進入方向に向けて付勢する付勢部材と、前記付勢部材に付勢された前記固定ピンの脱落を規制する抜止め部材と、を含んで構成され、前記取付装置は、前記固定ピンを連結させて前記付勢部材の付勢力を作用させた前記取付対象物を前記先端プレート側に引き寄せた位置に保持する。
【発明の効果】
【０００８】
本発明によれば、取付対象物を容易に着脱することができると共に固定ピンの紛失を防止することができる。
【図面の簡単な説明】
【０００９】
【図１】本発明の一実施形態に係るカラープリンターの内部構造を模式的に示す側面図である。
【図２】本発明の一実施形態に係るカラープリンターの光走査装置の内部構造を模式的に示す断面図である。
【図３】本発明の一実施形態に係るカラープリンターの装置本体に光走査装置を着脱させる様子を模式的に示す斜視図である。
【図４】本発明の一実施形態に係るカラープリンターの光走査装置の取付構造等を右側から見た斜視図である。
【図５】本発明の一実施形態に係るカラープリンターの光走査装置の取付構造等を左側から見た斜視図である。
【図６】本発明の一実施形態に係るカラープリンターの光走査装置の取付構造等であって、連結前の状態を模式的に示す断面図である。
【図７】本発明の一実施形態に係るカラープリンターの光走査装置の取付構造等であって、連結後の状態を模式的に示す断面図である。
【発明を実施するための形態】
【００１０】
以下、添付の図面を参照しつつ、本発明の好適な実施形態について説明する。なお、以下、各図に示した方向を基準にして説明する。
【００１１】
図１を参照して、画像形成装置としてのカラープリンター１の全体の構成について説明する。図１はカラープリンター１の内部構造を模式的に示す側面図である。
【００１２】
カラープリンター１は、略箱型形状の装置本体２と、装置本体２の下部に設けられる給紙カセット３と、装置本体２の上部に設けられる排紙トレイ４と、を備えている。
【００１３】
また、カラープリンター１は、給紙部１０と、画像形成部１１と、定着装置１２と、を備えている。給紙部１０は、給紙カセット３内の用紙Ｓを搬送経路１４に供給するために搬送経路１４の上流側に設けられている。画像形成部１１は、装置本体２の内部略中央に設けられている。定着装置１２は、搬送経路１４の下流側に設けられている。なお、給紙カセット３に収納される用紙Ｓは、紙製に限らず、樹脂フィルムやＯＨＰシート等であってもよい。
【００１４】
画像形成部１１は、４つのトナーコンテナ２０と、中間転写ベルト２１と、４つのドラムユニット２２と、光走査装置２３と、含んで構成されている。４つのトナーコンテナ２０は、排紙トレイ４の下側に左右方向に並設されている。中間転写ベルト２１は、各トナーコンテナ２０の下側に配設されている。４つのドラムユニット２２は、中間転写ベルト２１の下側で左右方向に並設されている。光走査装置２３は、各ドラムユニット２２の下側に配設されている。
【００１５】
４つのトナーコンテナ２０は、４色（イエロー（Ｙ），マゼンタ（Ｍ），シアン（Ｃ），ブラック（Ｋ））のトナー（二成分現像剤）を収容している。中間転写ベルト２１は、図１の矢印方向に走行するように左右一対のローラーの間に架設されている。なお、各トナーコンテナ２０に収容されるトナーは、磁性トナーから成る一成分現像剤でもよい。
【００１６】
４つのドラムユニット２２は、各色のトナーに対応して設けられている。各ドラムユニット２２は、感光体ドラム３０と、帯電装置３１と、現像装置３２と、一次転写ローラー３３と、クリーニング装置３４と、除電装置３５と、を含んで構成されている。なお、４つのドラムユニット２２は同様の構成を有しているため、以下、１つのドラムユニット２２について説明する。
【００１７】
感光体ドラム３０は、前後方向に長い円筒状に形成され、軸心周りに回転するように装置本体２に支持されている。感光体ドラム３０は、中間転写ベルト２１の下側表面に接触している。帯電装置３１、現像装置３２、一次転写ローラー３３、クリーニング装置３４および除電装置３５は、感光体ドラム３０の周囲に転写プロセス順に配置されている。一次転写ローラー３３は、中間転写ベルト２１を挟んで上側から感光体ドラム３０に対向配置されている。中間転写ベルト２１の右側には、二次転写ローラー３６が配置され、二次転写ニップ部３６ａを形成している。
【００１８】
ここで、カラープリンター１の動作について説明する。カラープリンター１の制御装置（図示せず）は、入力された画像データに基づいて、以下のように画像形成処理を実行する。
【００１９】
各帯電装置３１は、感光体ドラム３０の表面を帯電させる。光走査装置２３は、各感光体ドラム３０に向けて画像データに対応した露光（図１の破線矢印参照）を行う。各現像装置３２は、各感光体ドラム３０の表面に形成された静電潜像をトナー像に現像する。各感光体ドラム３０に担持された４つのトナー像は、一次転写バイアスを印加された一次転写ローラー３３によって、走行する中間転写ベルト２１に順番に一次転写される。これにより、中間転写ベルト２１の表面にはフルカラーのトナー像が形成される。
【００２０】
一方、給紙カセット３から供給された用紙Ｓは、搬送経路１４を搬送されて二次転写ニップ部３６ａを通過する。フルカラーのトナー像は、二次転写バイアスが印加された二次転写ローラー３６によって用紙Ｓに二次転写される。定着装置１２は、用紙Ｓにフルカラーのトナー像を定着させる。定着処理後の用紙Ｓは、排紙トレイ４に排出される。クリーニング装置３４は、転写後に感光体ドラム３０の表面に残ったトナーを除去する。除電装置３５は、除電光を照射して感光体ドラム３０の電荷を除去する。
【００２１】
次に、図２を参照して、画像形成部１１を構成する光走査装置２３について説明する。図２は光走査装置２３の内部構造を模式的に示す断面図である。
【００２２】
光走査装置２３は、光学箱４０と、偏向器４１と、第１Ｆθレンズ４２と、第１〜第４光学素子群４３〜４６と、を含んで構成されている。偏向器４１、第１Ｆθレンズ４２および各光学素子群４３〜４６は、光学箱４０内に収容されている。４つの光学素子群４３〜４６は、各色の感光体ドラム３０に対応して設けられている。
【００２３】
光学箱４０は、上下方向に扁平な略直方体状に形成されている。光学箱４０は、熱変形を抑制するために線膨張係数の低い樹脂材料で形成されている。光学箱４０の上面には、各感光体ドラム３０に対応する位置に４つのガラス板４７ａ〜４７ｄが左右方向に並設されている。
【００２４】
偏向器４１は、光学箱４０の底面の左側に配設されている。偏向器４１は、ポリゴンモーター４１ａと、ポリゴンミラー４１ｂと、を含んで構成されている。ポリゴンモーター４１ａは、回転軸を鉛直上方に延在させた姿勢で光学箱４０の底面に配置されている。ポリゴンミラー４１ｂは、ポリゴンモーター４１ａの回転軸に固定されている。ポリゴンミラー４１ｂは、ポリゴンモーター４１ａの駆動によって回転し、光源（図示せず）から射出されたレーザー光を偏向するように構成されている。これにより、レーザー光は、４つの光学素子群４３〜４６に振り分けられる。
【００２５】
第１Ｆθレンズ４２は、前後方向（主走査方向）に長い略棒状に形成されている。第１Ｆθレンズ４２は、光学箱４０の底面で偏向器４１の右側に配置されている。第１Ｆθレンズ４２は、偏向器４１で偏向されたレーザー光の主走査方向の径を絞ると共に感光体ドラム３０の表面上でレーザー光の走査速度を一定にするために設けられている。
【００２６】
第１光学素子群４３は、第１ミラー４３ａと、第２ミラー４３ｂと、第２Ｆθレンズ４３ｃと、を有している。第１ミラー４３ａおよび第２ミラー４３ｂは、前後方向に長い略矩形状の平面鏡である。第１ミラー４３ａは、光学箱４０の底面の左右方向中間部に配設されている。第２ミラー４３ｂは、左端のガラス板４７ａの下側近傍に配設されている。第２Ｆθレンズ４３ｃは、前後方向に長い略棒状に形成され、偏向器４１で偏向されたレーザー光の副走査方向の径を絞るために設けられている。第２Ｆθレンズ４３ｃは、第１ミラー４３ａと第２ミラー４３ｂとの間に配設されている。
【００２７】
第２光学素子群４４は、第１ミラー４４ａと、第２ミラー４４ｂと、第２Ｆθレンズ４４ｃと、を有している。なお、以下、第１光学素子群４３と略同一となる構成についての説明は省略する。第１ミラー４４ａは、光学箱４０の底面で第１ミラー４３ａの右側に配設されている。第２ミラー４４ｂは、左端から２番目のガラス板４７ｂの下側近傍に配設されている。第２Ｆθレンズ４４ｃは、第１ミラー４４ａと第２ミラー４４ｂとの間に配設されている。
【００２８】
第３光学素子群４５は、第１ミラー４５ａと、第２ミラー４５ｂと、第３ミラー４５ｃと、第２Ｆθレンズ４５ｄと、を有している。第１ミラー４５ａは、光学箱４０の底面で第１ミラー４４ａの右側に配設されている。第２ミラー４５ｂは、第１ミラー４５ａの上方に対向して配設されている。第３ミラー４５ｃは、左端から３番目のガラス板４７ｃの下側近傍に配設されている。第２Ｆθレンズ４５ｄは、第２ミラー４５ｂと第３ミラー４５ｃとの間に配設されている。
【００２９】
第４光学素子群４６は、第１ミラー４６ａと、第２Ｆθレンズ４６ｂと、を有している。第１ミラー４６ａは、右端のガラス板４７ｄの下方で光学箱４０の底面に配設されている。第２Ｆθレンズ４６ｂは、第１ミラー４６ａの左側に対向して配設されている。
【００３０】
第１Ｆθレンズ４２を通過したレーザー光は、図２の破線矢印に示すように進行し、各第２Ｆθレンズ４３ｃ，４４ｃ，４５ｄ，４６ｂを通過した後、各ガラス板４７ａ〜４７ｄに対向する各ミラー４３ｂ，４４ｂ，４５ｃ，４６ａに反射されて各感光体ドラム３０に結像される。
【００３１】
ところで、図３に示すように、光走査装置２３は、装置本体２の内部に着脱可能な状態で装着されている。装置本体２の左面には、光走査装置２３を進入させるための装置開口２ａが形成されている。装置開口２ａは、略矩形状に形成され、開閉可能なカバー２ｂによって覆われている（図１参照）。
【００３２】
次に、図４ないし図６を参照して、取付対象物としての光走査装置２３を装置本体２内に装着するための取付構造６０について説明する。図４は光走査装置２３の取付構造６０等を右側から見た斜視図である。図５は光走査装置２３の取付構造６０等を左側から見た斜視図である。図６は連結前の取付構造６０等を模式的に示す断面図である。
【００３３】
まず、図４および図５を参照して、光走査装置２３の取付構造６０の説明に先立ち、光走査装置２３に設けられる被取付構造５０について説明する。
【００３４】
光走査装置２３の被取付構造５０は、第１の被位置決め部５１と、第２の被位置決め部５２と、前後一対の雌ネジ穴５３と、を有している。第１の被位置決め部５１は、光学箱４０の右端面（進入方向先端部）に設けられ、第２の被位置決め部５２は、光学箱４０の左端面（進入方向後端部）に設けられている。前後一対の雌ネジ穴５３は、光学箱４０の右端面に設けられている。
【００３５】
第１の被位置決め部５１は、光学箱４０の右端面（先端面）に前後方向（水平方向）に並設される３つの第１の位置決めボス５１ａ〜５１ｃによって構成されている（図４参照）。各第１の位置決めボス５１ａ〜５１ｃは、円柱状に形成され、光学箱４０の右端面から右側に向けて突出している。一方、第２の被位置決め部５２は、光学箱４０の左端面（後端面）に前後方向（水平方向）に並設される３つの第２の位置決めボス５２ａ〜５２ｃによって構成されている（図５参照）。各第２の位置決めボス５２ａ〜５２ｃは、円柱状に形成され、光学箱４０の左端面から左側に向けて突出している。なお、全ての位置決めボス５１ａ〜５１ｃ，５２ａ〜５２ｃは、同一の形状・大きさに形成されており、その先端部は、テーパー状に形成されている。
【００３６】
また、前後方向中央の第２の位置決めボス５２ｂは、前後方向中央の第１の位置決めボス５１ｂと同軸上に配設されている。前後方向両端部の第２の位置決めボス５２ａ，５２ｃは、それぞれ、前後方向両端部の第１の位置決めボス５１ａ，５１ｃと同軸上に配設されている。
【００３７】
図４に示すように、前後一対の雌ネジ穴５３は、光学箱４０の右端面に円筒状に凹むように形成されている。前後一対の雌ネジ穴５３は、前後一対の第１の位置決めボス５１ａ，５１ｃの間で、且つ、前後一対の第１の位置決めボス５１ａ，５１ｃの近傍に設けられている。
【００３８】
次に、光走査装置２３の取付構造６０について説明する。図４に示すように、光走査装置２３の取付構造６０は、フレーム６１と、前後一対の取付装置６２と、を含んで構成されている。フレーム６１は、装置本体２の左面から右方向に向けて進入させた光走査装置２３を支持するように構成されている（図３参照）。各取付装置６２は、フレーム６１に支持された光走査装置２３を固定するために設けられている。
【００３９】
フレーム６１は、金属製の板材で、上面を開放した略矩形箱状に形成されている。フレーム６１は、装置開口２ａから内部（右側）に向けて水平に延びるように設けられている（図３参照）。フレーム６１は、給紙カセット３の配置空間と画像形成部１１の配置空間とを仕切るように設けられている。
【００４０】
図４に示すように、フレーム６１は、本体プレート６１ａと、先端プレート６１ｂと、後端プレート６１ｃと、を含んで構成されている。
【００４１】
本体プレート６１ａは、側面視で略Ｕ字状に形成されている。本体プレート６１ａは、光学箱４０の下面および前後両側面に当接して光走査装置２３を支持するように構成されている。
【００４２】
図４および図５に示すように、先端プレート６１ｂは、側面視で前後方向に長い略矩形板状に形成されている。先端プレート６１ｂは、光走査装置２３の右端部（進入方向先端部）に対向するように本体プレート６１ａの右端部に立設されている。なお、先端プレート６１ｂは、搬送経路１４に干渉しないように搬送経路１４の配置空間の左側に設けられている（図１参照）。
【００４３】
先端プレート６１ｂは、光走査装置２３の第１の被位置決め部５１に係合する第１の位置決め部６３を有している。具体的には、第１の位置決め部６３は、先端プレート６１ｂに前後方向（水平方向）に並設される３つの第１の位置決め穴６３ａ〜６３ｃによって構成されている。各第１の位置決め穴６３ａ〜６３ｃは、先端プレート６１ｂを左右方向に貫通している。前後方向中央の第１の位置決め穴６３ｂは、上下方向（鉛直方向）に長い楕円状に形成され、前後方向両端部の第１の位置決め穴６３ａ，６３ｃは、前後方向に長い楕円状に形成されている。
【００４４】
後端プレート６１ｃは、光走査装置２３の左端部（進入方向後端部）に対向するように本体プレート６１ａの左端部に立設されている。後端プレート６１ｃは、本体プレート６１ａの前後両側壁の左端部に対し、複数のビス（図示せず）によって締結されている。
【００４５】
後端プレート６１ｃは、光走査装置２３の第２の被位置決め部５２に係合する第２の位置決め部６４を有している。具体的には、第２の位置決め部６４は、後端プレート６１ｃに前後方向（水平方向）に並設される３つの第２の位置決め穴６４ａ〜６４ｃである。各第２の位置決め穴６４ａ〜６４ｃは、後端プレート６１ｃを左右方向に貫通し、側面視で真円状に形成されている。前後方向両端部の第２の位置決め穴６４ａ，６４ｃは、前後方向中央の第２の位置決め穴６４ｂよりも大径に形成されている。
【００４６】
また、前後方向中央の第２の位置決め穴６４ｂは、前後方向中央の第１の位置決め穴６３ｂと同軸上に配設されている。前後方向両端部の第２の位置決め穴６４ａ，６４ｃは、それぞれ、前後方向両端部の第１の位置決め穴６３ａ，６３ｃと同軸上に配設されている。
【００４７】
図４に示すように、前後一対の取付装置６２は、先端プレート６１ｂに設けられている。前後一対の取付装置６２は、前後一対の第１の位置決め穴６３ａ，６３ｃの間で、且つ、前後一対の第１の位置決め穴６３ａ，６３ｃの近傍に設けられている。なお、一対の取付装置６２は同一構造であるため、以下、１つの取付装置６２についてのみ説明する。
【００４８】
図６に示すように、取付装置６２は、固定ピン６５と、付勢部材６６と、抜止め部材６７と、を含んで構成されている。
【００４９】
固定ピン６５は、ピン本体７０と、頭部７１と、ネジ部７２と、を有している。固定ピン６５は、例えば、ステンレス等の金属材料を用いて一体に形成されている。
【００５０】
ピン本体７０は、左右方向に長い円柱状に形成されている。ピン本体７０は、先端プレート６１ｂに貫通するピン支持穴Ｈに左右方向に摺動可能に支持されている。ピン本体７０の周面の左側には、嵌合溝７３が凹設されている。
【００５１】
頭部７１は、左右方向に扁平な円筒状に形成されている。頭部７１は、ピン本体７０と同軸上でピン本体７０の右端部に固定されている。頭部７１は、ピン支持穴Ｈを通過不能な直径（ピン本体７０よりも大径）に形成され、先端プレート６１ｂの右側に配置されている。頭部７１の外端面（右端面）には、プラスドライバ（図示せず）の先端部が嵌合する十字溝７１ａが凹設されている（図４参照）。
【００５２】
ネジ部７２は、ピン本体７０の左端部で形成された雄ネジである。ネジ部７２は、ピン本体７０よりも小径に形成されている。このため、ピン本体７０とネジ部７２との間には、段部７４が形成されている。ネジ部７２は、先端プレート６１ｂの左側に配置されている。
【００５３】
付勢部材６６は、所謂コイルスプリングであって、先端プレート６１ｂと固定ピン６５の頭部７１との間で、ピン本体７０に巻回するように設けられている。付勢部材６６は、先端プレート６１ｂの右側面を台座として固定ピン６５を光走査装置２３の進入方向（右方向）に向けて付勢している。
【００５４】
抜止め部材６７は、円環板状に形成され、ピン本体７０の嵌合溝７３に嵌合している。抜止め部材６７は、ピン支持穴Ｈを通過不能な直径に形成され、先端プレート６１ｂの左側に配置されている。すなわち、抜止め部材６７は、付勢部材６６に付勢された固定ピン６５の脱落を規制する。
【００５５】
次に、図６および図７を参照して、フレーム６１に対する光走査装置２３の取り付け手順（各取付装置６２の作用）について説明する。図７は連結後の取付構造６０等を模式的に示す断面図である。なお、一対の取付装置６２の作用は同一であるため、以下、１つの取付装置６２の作用についてのみ説明する。
【００５６】
まず、作業者は、装置本体２のカバー２ｂを開き、フレーム６１を露出させ、後端プレート６１ｃを取り外す（図３参照）。
【００５７】
次に、作業者は、本体プレート６１ａ上を滑らせるように光走査装置２３を進入させる。光走査装置２３（光学箱４０）の各第１の位置決めボス５１ａ〜５１ｃは、先端プレート６１ｂの各第１の位置決め穴６３ａ〜６３ｃに挿入される（図２、図４および図６参照）。このとき、前後方向中央の第１の位置決めボス５１ｂは、前後方向中央の縦長の第１の位置決め穴６３ｂに対して前後方向に不動に嵌合する。前後一対の第１の位置決めボス５１ａ，５１ｃは、それぞれ、横長の第１の位置決め穴６３ａ，６３ｃに対して上下方向に不動に嵌合する。これにより、光走査装置２３の進入方向先端部（右側）は、上下方向および前後方向に位置決めされる。
【００５８】
次に、作業者は、装置本体２の右側から、固定ピン６５の頭部７１の十字溝７１ａにプラスドライバーの先端部を嵌合させる。作業者は、プラスドライバーを回転させ、固定ピン６５のネジ部７２を光学箱４０の雌ネジ穴５３に螺合させる。雌ネジ穴５３に対するネジ部７２の螺合の進行に伴って、固定ピン６５は、付勢部材６６の付勢力に抗して相対的に左方向に移動して行く（図６参照）。一方、光走査装置２３は、先端プレート６１ｂに引き寄せられて行く（図６参照）。固定ピン６５は、雌ネジ穴５３の開口縁部に段部７４が当接するまで締め付けられることで、光走査装置２３に連結される（図７参照）。
【００５９】
固定ピン６５が光走査装置２３に連結された状態で、付勢部材６６は、先端プレート６１ｂと頭部７１との間で圧縮されている。これにより、付勢部材６６は、固定ピン６５を介して光走査装置２３を右方向に付勢している（図７の二点鎖線矢印参照）。このため、光走査装置２３は、先端プレート６１ｂに引き寄せられ、光学箱４０の右端面は、先端プレート６１ｂの左側面に密着した状態を維持される。以上のように、取付装置６２は、固定ピン６５を連結させて付勢部材６６の付勢力を作用させた光走査装置２３を先端プレート６１ｂ側（右側）に引き寄せた位置に保持する。つまり、光走査装置２３は、左右方向（進入方向）に位置決めされた状態になる。
【００６０】
次に、作業者は、光走査装置２３の左端部を覆うように後端プレート６１ｃを配置する（図２および図５参照）。光走査装置２３（光学箱４０）の各第２の位置決めボス５２ａ〜５２ｃは、後端プレート６１ｃの各第２の位置決め穴６４ａ〜６４ｃに嵌合する。このとき、前後方向中央の第２の位置決めボス５２ｂは、前後方向中央の第２の位置決め穴６４ｂに対して不動に嵌合している。これにより、光走査装置２３の進入方向後端部（左側）は、上下方向および前後方向に位置決めされる。なお、前後一対の第２の位置決めボス５２ａ，５２ｃは、前後一対の第２の位置決め穴６４ａ，６４ｃに対して遊びを有して嵌合している。すなわち、前後方向中央の第２の位置決め穴６４ｂのみが位置決め機能を有している。
【００６１】
作業者は、複数のビスによって本体プレート６１ａに後端プレート６１ｃを締結する。最後に、カバー２ｂを閉じることで、フレーム６１に対する光走査装置２３の取り付け作業が完了する。以上によって、光走査装置２３は、先端プレート６１ｂと後端プレート６１ｃとの間に架け渡されるように配設される。これにより、取付装置６２は、先端プレート６１ｂと後端プレート６１ｃとの間で位置決めされた光走査装置２３を固定することができる。なお、上記した取り付け作業の逆の手順によって、光走査装置２３を取り外すことができる。
【００６２】
以上説明した本実施形態に係るカラープリンター１によれば、取付装置６２の固定ピン６５は、光走査装置２３の進入方向に沿って進退可能且つ脱落不能な状態で先端プレート６１ｂに支持されている。また、固定ピン６５は、光走査装置２３の進入方向先端部に連結可能に形成されている。したがって、雌ネジ穴５３に対するネジ部７２の位置合せが不要になるため、装置本体２内の狭い空間において、装置本体２内に進入させた光走査装置２３に固定ピン６５を容易に連結させることができる。また、雌ネジ穴５３にネジ部７２を締め付けることで、光走査装置２３に対し固定ピン６５を簡単且つ強固に連結させることができる。
【００６３】
また、固定ピン６５は、先端プレート６１ｂに脱落不能に支持されているため、光走査装置２３から離脱（連結解除）させた固定ピン６５の紛失を防止することができる。さらに、取付装置６２の付勢部材６６は、固定ピン６５を介して光走査装置２３に付勢力を作用させ、先端プレート６１ｂに引き寄せた位置に光走査装置２３を保持させる。つまり、取付装置６２の固定ピン６５を連結させるだけで、光走査装置２３を左右方向に位置決めすることができる。
【００６４】
また、本実施形態に係るカラープリンター１によれば、縦長の第１の位置決め穴６３ｂに第１の位置決めボス５１ｂを挿入すると共に、前後方向中央の真円形の第２の位置決め穴６４ｂに第２の位置決めボス５２ｂを嵌合させることで、光走査装置２３は、前後方向に位置決めされた状態になる。また、横長の前後一対の第１の位置決め穴６３ａ，６３ｃに各々第１の位置決めボス５１ａ，５１ｃを挿入すると共に、前後方向中央の真円形の第２の位置決め穴６４ｂに第２の位置決めボス５２ｂを嵌合させることで、光走査装置２３は、３点で支持され、上下方向に位置決めされた状態になる。これにより、光走査装置２３を安定した状態で支持することができる。
【００６５】
なお、本実施形態では、取付対象物として光走査装置２３に各位置決めボス５１ａ〜５１ｃ，５２ａ〜５２ｃを設け、先端プレート６１ｂに各位置決め穴６３ａ〜６３ｃ，６４ａ〜６４ｃを設けたが、本発明はこれに限定されない。図示は省略するが、例えば、光走査装置２３に位置決め穴を設け、先端プレート６１ｂに位置決めボスを設けてもよい。
【００６６】
なお、本実施形態では、２つの取付装置６２を設けたが、本発明はこれに限定されない。取付装置６２は、１つ以上設けられていればよい。
【００６７】
なお、本実施形態では、取付対象物として光走査装置２３を取り付ける場合について説明したが、本発明はこれに限定されない。例えば、画像形成部１１を構成する取付対象物としてドラムユニット２２を取り付けるために上記した取付構造６０を用いてもよい。
【００６８】
なお、本実施形態では、一例として、本発明をカラープリンター１に適用した場合を説明したが、これに限らず、例えば、モノクロプリンター、ファクシミリ、複合機等に本発明を適用してもよい。
【００６９】
なお、上記実施形態の説明は、本発明に係る画像形成装置における一態様を示すものであって、本発明の技術範囲は、上記実施態様に限定されるものではない。上記実施形態における構成要素は、適宜、既存の構成要素等との置き換えや組み合わせが可能であって、上記実施形態の記載をもって、特許請求の範囲に記載された発明の内容を限定するものではない。
【図１】
2016068115.tif 000003
【図２】
2016068115.tif 000004
【図３】
2016068115.tif 000005
【図４】
2016068115.tif 000006
【図５】
2016068115.tif 000007
【図６】
2016068115.tif 000008
【図７】
2016068115.tif 000009
【国際調査報告】
2016068115.tif 000010
2016068115.tif 000011
2016068115.tif 000012